(57)【要約】【課題】  多重化された情報を集約することで管理する状態の数を少なくする。【解決手段】  無線ネットワークにおいて，情報を多重化して他の通信装置と非同期的に直接通信を行う通信装置１００であって，無線データの送信を行う無線送信部１０６と，無線データの受信を行う無線受信部１０８と，送信部における無線データの送信動作および受信部における無線データの受信動作を制御する中央制御部１０２と，を含み，中央制御部１０２は，多重化されたｎ種類（ｎは２以上の整数）の情報を無線受信部１０８で受信する時に，ルールを定めてｎ−１種類以下の情報を受信したものとして処理を行い，多重化されたｎ種類（ｎは２以上の整数）の情報を無線送信部１０６で送信する時に，ルールを定めてｎ−１種類以下の情報を送信したものとして処理を行うことを特徴とする，通信装置１００を提供する。【選択図】    図１
2007281928.tif 000002
【特許請求の範囲】
【請求項１】
無線ネットワークにおいて，情報を多重化して他の通信装置と非同期的に直接通信を行う通信装置であって：
無線データの送信を行う無線送信部と；
無線データの受信を行う無線受信部と；
前記無線送信部における無線データの送信動作および前記無線受信部における無線データの受信動作を制御する制御部と；
を含み，
前記制御部は，多重化されたｎ種類（ｎは２以上の整数）の情報を前記無線受信部で受信する時に，予め定めたルールに従ってｎ−１種類以下の情報を受信したものとして処理を行い，多重化されたｎ種類（ｎは２以上の整数）の情報を前記無線送信部で送信する時に，予め定めたルールに従ってｎ−１種類以下の情報を送信したものとして処理を行うことを特徴とする，通信装置。
【請求項２】
前記予め定めたルールは，前記情報が応答の必要のあるものかどうかで優先順位を定めることであることを特徴とする，請求項１に記載の通信装置。
【請求項３】
前記予め定めたルールは，前記情報に続くシーケンスが長いものであるかどうかで優先順位を定めることであることを特徴とする，請求項１に記載の通信装置。
【請求項４】
無線ネットワークにおいて，情報を多重化して他のコンピュータと非同期的に直接通信を行うための処理をコンピュータ上で実行するようにコンピュータ可読形式で記述されたコンピュータプログラムであって：
無線データの送信を行う送信処理と；
無線データの受信を行う受信処理と；
前記送信処理における無線データの送信動作および前記受信処理における無線データの受信動作を制御する制御処理と；
を含み，
前記制御処理は，多重化されたｎ種類（ｎは２以上の整数）の情報を前記受信処理で受信する時に，予め定めたルールに従ってｎ−１種類以下の情報を受信したものとして処理を行い，多重化されたｎ種類（ｎは２以上の整数）の情報を前記送信処理で送信する時に，予め定めたルールに従ってｎ−１種類以下の情報を送信したものとして処理を行うことを特徴とする，コンピュータプログラム。
【請求項５】
前記予め定めたルールは，前記情報が応答の必要のあるものかどうかで優先順位を定めることであることを特徴とする，請求項４に記載のコンピュータプログラム。
【請求項６】
前記予め定めたルールは，前記情報に続くシーケンスが長いものであるかどうかで優先順位を定めることであることを特徴とする，請求項４に記載のコンピュータプログラム。
【発明の詳細な説明】
【技術分野】
【０００１】
本発明は，通信装置およびコンピュータプログラムに関し，特に無線ＬＡＮ（Ｌｏｃａｌ  Ａｒｅａ  Ｎｅｔｗｏｒｋ）のように複数の無線局間で相互に通信を行う通信装置およびコンピュータプログラムに関する。
【背景技術】
【０００２】
無線ＬＡＮにおける複数の通信装置間の通信方式において，通信装置同士が非同期的に直接通信を行う方式がある。通信装置同士が非同期的に直接通信を行う方式として，例えばアドホック（Ａｄ−ｈｏｃ）モードによる通信方式が知られている。近隣に位置する少数の通信装置で構成される小規模無線ネットワークにおいては，特定のアクセスポイントのような制御局を経由せず，任意の通信装置同士が直接非同期の無線通信を行うことができるアドホック通信方式を用いることが有効である。
【０００３】
アドホックモードによる通信方式については，例えば特許文献１に示したような方法が知られている。特許文献１に示した方法は，アドホックモードにおいて，ＲＴＳ／ＣＴＳ（Ｒｅｑｕｅｓｔ  ｔｏ  Ｓｅｎｄ／Ｃｌｅａｒ  ｔｏ  Ｓｅｎｄ；送信要求／受信完了）手段によるＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ；衝突回避機能付き搬送波感知多重アクセス方式）のアクセス制御により，複数の通信装置が通信を行う。
【０００４】
このようなＣＳＭＡ手順での通信においては，複数の種類の情報を多重化して送受信を行うことがある。多重化せずに１つの情報だけを送信した場合は，一方からの通信が全て完了しないと他方からのデータの送信が出来ないために時間がかかるが，情報を多重化することでフレーム間隔時間を節約した双方向からのデータの送受信を行うことができるため，通信時間を短縮することができる。多重化された情報を送受信する通信システムにおいては，多重化されている情報を全て把握して，処理の順番を決定する（アクセス制御を行う）必要がある。以下に，従来の多重化された情報の処理手順を示す。
【０００５】
図８は，従来の多重化された情報の処理手順を示す流れ図である。情報の送受信処理が開始されると，まず情報の送信処理か受信処理かを判断する（ステップＳ１１）。送信処理においては，複数の種類の送信したい情報を多重化するかどうかを判断し（ステップＳ１２），多重化を行う場合には複数の種類の情報を多重化し（ステップＳ１３），多重化した情報の処理を行う（ステップＳ１６）。上記ステップＳ１２で多重化を行わないと判断した場合は，そのままステップＳ１６に移り情報の処理を行う。
【０００６】
一方，受信処理においては，複数の種類の多重化された情報を受信したかどうかを判断し（ステップＳ１４），多重化された情報を受信したと判断した場合には，その多重化された情報を分析し（ステップＳ１５），分析した内容に基づいて多重化した情報の処理を行う（ステップＳ１６）。多重化されていない情報を受信したと判断した場合には，そのままステップＳ１６に移り情報の処理を行う。
【０００７】
多重化された情報の処理手順は以下の通りである。例えば，ＲＴＳ，ＣＴＳ，ＤＡＴＡ，ＡＣＫ（Ａｃｋｎｏｗｌｅｄｇｍｅｎｔ：確認応答もしくは肯定応答）の４種類の情報を交換して通信を行う場合，交換する情報のパターンは，（１）ＲＴＳ，（２）ＣＴＳ，（３）ＤＡＴＡ，（４）ＡＣＫ，（５）ＣＴＳ＋ＲＴＳ，（６）ＤＡＴＡ＋ＲＴＳ，（７）ＣＴＳ＋ＤＡＴＡ，（８）ＣＴＳ＋ＡＣＫ，（９）ＤＡＴＡ＋ＡＣＫ，（１０）ＡＣＫ＋ＲＴＳ，（１１）ＤＡＴＡ＋ＲＴＳ＋ＣＴＳ，（１２）ＣＴＳ＋ＤＡＴＡ＋ＡＣＫ，（１３）ＲＴＳ＋ＤＡＴＡ＋ＡＣＫ，（１４）ＲＴＳ＋ＣＴＳ＋ＡＣＫ，（１５）ＲＴＳ＋ＣＴＳ＋ＤＡＴＡ＋ＡＣＫ，の１５通りになる。
【０００８】
ここでは例を単純にするため，２種類までの多重化を許すものとすると，交換する情報のパターンは上記の（１）〜（１０）の１０通りとなり，この１０種類の情報を送受信する通信システムとなる。
【０００９】
ＲＴＳ，ＣＴＳ，ＤＡＴＡ，ＡＣＫの４種類の情報を２つの通信装置間でやり取りする場合には，２台の通信装置を通信装置１ａ，通信装置１ｂとして，図９に示すようなシーケンスで情報のやり取りを行う。
【００１０】
従来の多重化された情報の処理手順では，この１０種類の情報を送受信する場合に，次にどのような情報を送受信すべきかを決定するために，図１０に示したような状態遷移図において，初期状態を含め全部で１８状態保持する必要がある。以下，図９および図１０を用いて，通信装置１ａおよび通信装置１ｂが多重化された情報を交換する通信を行った場合の内部処理について説明する。
【００１１】
まず，通信装置１ａがＲＴＳを送信することにすると（図９の符号３０），図１０の状態遷移図では初期状態１０からＲＴＳ送信前状態１１に遷移する。その後ＲＴＳを送信すると，ＲＴＳ送信前状態１１からＲＴＳ送信後状態１２に遷移する。
【００１２】
次に，通信装置１ｂがＲＴＳを受信したが，通信装置１ｂも通信装置１ａに対して送信したいデータがあるため，通信装置１ａから受信したＲＴＳの返答であるＣＴＳに，ＲＴＳを多重化して通信装置１ａに対して送信する（図９の符号３１）。ここで図１０の状態遷移図では，通信装置１ｂの状態は初期状態１０から，ＲＴＳを送信する予定であるためＲＴＳ送信前状態１１に遷移し，ＣＴＳを多重可能なＲＴＳを受信したので，ＣＴＳとＲＴＳとを多重化して送信するため，ＣＴＳ＋ＲＴＳ送信前状態１８に遷移する。そして，さらにＣＴＳ＋ＲＴＳを送信したことでＣＴＳ＋ＲＴＳ送信後状態１９に遷移する。
【００１３】
通信装置１ａは，通信装置１ｂからＣＴＳ＋ＲＴＳを受信したので，通信装置１ｂから受信したＣＴＳに対するＤＡＴＡと，通信装置１ｂから受信したＲＴＳに対するＣＴＳを多重化した，ＤＡＴＡ＋ＣＴＳを通信装置１ｂに対して送信する（図９の符号３２）。図１０の状態遷移図では，通信装置１ａの状態は通信装置１ｂからのＣＴＳ＋ＲＴＳの受信によって，ＲＴＳ送信後状態１２からＤＡＴＡ＋ＣＴＳ送信前状態２４に遷移した後，ＤＡＴＡ＋ＣＴＳの送信によってＤＡＴＡ＋ＣＴＳ送信後状態２５に遷移する。
【００１４】
通信装置１ｂは，通信装置１ａからＤＡＴＡ＋ＣＴＳを受信したので，通信装置１ａから受信したＤＡＴＡに対するＡＣＫと，通信装置１ａから受信したＣＴＳに対するＤＡＴＡを多重化した，ＡＣＫ＋ＤＡＴＡを通信装置１ａに対して送信する（図９の符号３３）。図１０の状態遷移図では，通信装置１ｂの状態は通信装置１ａからのＤＡＴＡ＋ＣＴＳの受信によってＣＴＳ＋ＲＴＳ送信後状態１９からＡＣＫ＋ＤＡＴＡ送信前状態２０に遷移し，さらにＡＣＫ＋ＤＡＴＡを送信したことでＡＣＫ＋ＤＡＴＡ送信後状態２１に遷移する。
【００１５】
通信装置１ａは，通信装置１ｂからＡＣＫ＋ＤＡＴＡを受信したので，通信装置１ｂに対して通信装置１ｂから受信したＤＡＴＡに対するＡＣＫを送信する（図９の符号３４）。図１０の状態遷移図では，通信装置１ａの状態はＡＣＫ＋ＤＡＴＡの受信によってＤＡＴＡ＋ＣＴＳ送信後状態２５からＡＣＫ送信前状態１７に遷移し，ＡＣＫを送信したことで初期状態１０に遷移する。
【００１６】
そして，通信装置１ｂも通信装置１ａからＡＣＫを受信したので，図１０の状態遷移図では，通信装置１ｂの状態はＡＣＫ＋ＤＡＴＡ送信後状態２１から初期状態１０に遷移する。
【００１７】
【特許文献１】国際公開第ＷＯ２００５／０４１４６７号パンフレット
【発明の開示】
【発明が解決しようとする課題】
【００１８】
情報の多重化が許されていない通信システムでは，例えば４種類の情報しか扱わない場合においては，情報の状態管理は単純な状態遷移図で表現することができる。しかし，多重化が許されている通信システムでは，その多重化の種類も，情報の種類数をｎ（ｎは２以上の正の整数）とすると，２種類の多重化からｎ種類の多重化までを取り扱う必要がある。多重化を，仮に２種類までの多重化に限定したとしても図１０のように１８状態必要になる。３種類以上の多重化を許すと，状態数はさらに増加し，より複雑な状態遷移を管理する必要がある。
【００１９】
状態数が増加すると，その状態に対応する処理に必要なビット数も増加する。例えば，状態の数が４つであれば，２ビットあれば全ての状態を表現することができるが，状態の数が図１０のように１８個に増えると，全ての状態を表現するには５ビット必要になる。３種類以上の多重化を許すと，さらに全ての状態を表現するために必要なビット数が増加する。処理に必要なビット数が増えると，それだけ回路規模も増大することとなり，無線で通信を行うような小型の通信装置においては装置の大きさにも影響を及ぼすという問題があった。
【００２０】
そこで，本発明は，このような問題に鑑みてなされたもので，その目的とするところは，多重化された情報を集約することで管理する状態の数を少なくすることができる，新規かつ改良された，通信装置およびコンピュータプログラムを提供することにある。
【課題を解決するための手段】
【００２１】
上記課題を解決するために，本発明のある観点によれば，無線ネットワークにおいて，情報を多重化して他の通信装置と非同期的に直接通信を行う通信装置であって，無線データの送信を行う無線送信部と，無線データの受信を行う無線受信部と，無線送信部における無線データの送信動作および無線受信部における無線データの受信動作を制御する制御部と，を含み，制御部は，多重化されたｎ種類（ｎは２以上の整数）の情報を無線受信部で受信する時に，予め定めたルールに従ってｎ−１種類以下の情報を受信したものとして処理を行い，多重化されたｎ種類（ｎは２以上の整数）の情報を無線送信部で送信する時に，予め定めたルールに従ってｎ−１種類以下の情報を送信したものとして処理を行うことを特徴とする，通信装置が提供される。
【００２２】
かかる構成によれば，無線送信部は他の通信装置に向けて無線データを送信し，無線受信部は他の通信装置から無線データを受信する。そして，制御部はｎ種類の情報をグループ化して，ｎ−１種類以下の情報をやり取りするものとして集約する。その結果，本発明のある観点にかかる通信装置によれば，多重化が許されている情報を送受信する際に，情報をグループ化することで，通信装置の状態管理を容易にすることができる。通信装置の状態管理を容易にできることで，通信装置の状態管理を行う回路の規模を抑えることが可能になり，通信装置の小型化に寄与できる。
【００２３】
上記予め定めたルールは，情報が応答の必要のあるものかどうかで優先順位を定めてもよく，情報に続くシーケンスが長いものであるかどうかで優先順位を定めてもよい。その結果，より効果的に情報を集約することができる。
【００２４】
上記課題を解決するために，本発明の別の観点によれば，無線ネットワークにおいて，情報を多重化して他のコンピュータと非同期的に直接通信を行うための処理をコンピュータ上で実行するようにコンピュータ可読形式で記述されたコンピュータプログラムであって，無線データの送信を行う送信処理と，無線データの受信を行う受信処理と，送信処理における無線データの送信動作および受信処理における無線データの受信動作を制御する制御処理と，を含み，制御処理は，多重化されたｎ種類（ｎは２以上の整数）の情報を受信処理で受信する時に，予め定めたルールに従ってｎ−１種類以下の情報を受信したものとして処理を行い，多重化されたｎ種類（ｎは２以上の整数）の情報を送信処理で送信する時に，予め定めたルールに従ってｎ−１種類以下の情報を送信したものとして処理を行うことを特徴とする，コンピュータプログラムが提供される。
【００２５】
かかる構成によれば，送信処理は他のコンピュータに向けて無線データを送信し，受信処理は他のコンピュータから無線データを受信する。そして，制御処理はｎ種類の情報をグループ化して，ｎ−１種類以下の情報をやり取りするものとして集約する。その結果，本発明のある観点にかかるコンピュータプログラムによれば，多重化が許されている情報を送受信する際に，情報をグループ化することで，コンピュータの状態管理を容易にすることができる。コンピュータの状態管理を容易にできることで，コンピュータの状態管理を行う回路の規模を抑えることが可能になり，コンピュータの小型化もしくはコンピュータプログラムの効率化に寄与できる。
【００２６】
上記予め定めたルールは，情報が応答の必要のあるものかどうかで優先順位を定めてもよく，情報に続くシーケンスが長いものであるかどうかで優先順位を定めてもよい。その結果，より効果的に情報を集約することができる。
【発明の効果】
【００２７】
以上説明したように本発明によれば，多重化された情報を集約することで状態の数を少なくすることができる，通信装置およびコンピュータプログラムを提供できるものである。
【発明を実施するための最良の形態】
【００２８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２９】
（第１の実施形態）
図１は，本発明の第１の実施形態にかかる通信装置を示す説明図である。図１に示したように，本発明の第１の実施形態にかかる通信装置１００は，中央制御部１０２と，タイミング制御部１０４と，無線送信部１０６と，無線受信部１０８と，インターフェース１１０と，データバッファ１１２と，情報記憶部１１４と，アンテナ１１６と，を含んで構成される。以下，通信装置１００の各部の構成について説明する。
【００３０】
中央制御部１０２は，本発明の制御部の一例であり，例えばマイクロプロセッサで構成され，通信装置１００の各部の統括的な制御を行うものである。中央制御部１０２は，情報記憶部１１４に記憶されている動作手順命令を実行して，本発明に係る無線アドホックネットワークに関する通信装置１００の動作を制御する。動作手順命令とは，例えばコンピュータプログラムのコードである。なお，通信装置１００の動作の制御は，コンピュータプログラムのような情報記憶部１１４に記憶されている動作手順命令の実行の他に，通信装置１００の内部に論理回路を構成して，その論理回路の動作によって行ってもよい。
【００３１】
中央制御部１０２は，送受信の対象となる情報を，優先順位を付けてグループ化することで，通信装置１００の状態管理を単純化する。この場合の情報の集約方法や優先順位の付け方はシステムの特性を鑑みて最適な方法で作成することができ，必ずしも上記の集約方法や優先順位である必要は無い。例えば，受信した情報が応答の必要のあるものかどうかで優先順位を定めてもよく，受信した情報に続くシーケンスが長いものであるかどうかで優先順位を定めてもよい。
【００３２】
タイミング制御部１０４は，中央制御部１０２からの指示に従って，データの送受信を行うタイミングを制御するものである。なお，本実施形態においては制御部の一例として中央制御部１０２を用いているが，本発明はこれに限られず，制御部として中央制御部１０２およびタイミング制御部１０４を用いるようにしてもよい。
【００３３】
無線送信部１０６は，データバッファ１１２から送信するデータを取り出して，取り出したデータに変調処理を施すことによって無線信号に変換するものである。無線送信信号は，タイミング制御部１０４により指定された所定の送信タイミングでアンテナ１１６から送出される。
【００３４】
無線受信部１０８は，アンテナ１１６を介して他の通信装置から送られてくるデータ信号を，タイミング制御部１０４から指定された所定の受信タイミングで受信可能状態にするものである。無線受信部１０８は，受信したデータに復調処理を施すことによって受信データに変換し，データバッファ１１２に一時格納する。
【００３５】
インターフェース１１０は，無線受信部１０８が受信してデータバッファ１１２に格納された受信データが，通信装置１００に接続される情報処理装置（図示せず）宛てのものであった場合，データバッファ１１２から受信データを取り出し，その情報処理装置に受信データを渡すものである。また，通信装置１００に接続される情報処理装置がデータを他の通信機器を接続した情報処理装置に送信する場合，その情報処理装置からデータを受け取り，データバッファ１１２に格納するものである。
【００３６】
データバッファ１１２は，送信データや受信データを一時的に格納しておくものである。データバッファ１１２には，例えば中央制御部１０２からの命令によって情報を読み書きできるメモリを用いることができ，ＲＡＭ（Ｒａｎｄｏｍ  Ａｃｃｅｓｓ  Ｍｅｍｏｒｙ），ＤＲＡＭ（Ｄｙｎａｍｉｃ  Ｒａｎｄｏｍ  Ａｃｃｅｓｓ  Ｍｅｍｏｒｙ），ＳＲＡＭ（Ｓｔａｔｉｃ  Ｒａｎｄｏｍ  Ａｃｃｅｓｓ  Ｍｅｍｏｒｙ），ＳＤＲＡＭ（Ｓｙｎｃｈｒｏｎｏｕｓ  ＤＲＡＭ）他の揮発性メモリを用いてもよい。
【００３７】
情報記憶部１１４は，制御部において実行される動作手順命令（コンピュータプログラムコード）を格納するものである。
【００３８】
アンテナ１１６は、無線送信部１０６で変換した無線信号を伝送媒体（空気中）に放出し，あるいは他の通信装置から送られてくる無線信号を伝送媒体（空気中）から受け取るものである。
【００３９】
以上，図１を用いて本発明の第１の実施形態にかかる通信装置について説明した。次に，本発明の第１の実施形態にかかる情報の送受信方法について説明する。
【００４０】
ｎ種類（ｎは２以上の整数）の多重化可能な情報を取り扱う通信システムを仮定した場合，ｎ種類の送受信パターンは，
【数１】
2007281928.tif 000003
で表される。
【００４１】
ここで，数１で表される送受信パターンを，ルールを定めていくつかのグループに分類する。具体的には，数１で表される送受信パターンに優先順位を付けて，送受信パターンをグループ化する。グループ化して集約することで送受信パターンの総数が減り，状態管理を単純にすることができると共に，送受信回路の回路規模を小さくすることができる。
【００４２】
例えば，ｎ＝５として，Ａ，Ｂ，Ｃ，Ｄ，Ｅの５種類の情報があった場合を考える。この５種類の送受信情報のパターンは，数１にｎ＝５を代入して全部で３１通りになる。ここでこの５種類の情報を，例えばＡ＞Ｂ＞Ｃ＞Ａ＋Ｂ＞Ｄ＞Ａ＋Ｄ＋Ｃ＞Ｅのように優先順位を決定し，この優先順位に従って３１通りの方法をグループ化することで，４種類以下の情報の送受信パターンとみなすことができる。つまり，５種類の情報の送受信パターン全３１通りを，７通りの送受信パターンとみなすことができる。数１にｎ＝３を代入した場合の値が７通りであるので，５種類の情報の送受信パターンを３種類の情報の送受信パターンとみなすことが可能になり，情報の状態管理を単純にすることができる。
【００４３】
優先順位の付け方や，集約するパターンの数の決定方法は，システムの特性を鑑みて最適な方法で作成することができる。
【００４４】
これらを，アドホックモードにおいてＲＴＳ／ＣＴＳ手段を用いるＣＳＭＡ／ＣＡのアクセス制御システムに適用する。ＲＴＳ／ＣＴＳ手段を用いるＣＳＭＡ／ＣＡのアクセス制御システムにおいて，ＲＴＳ，ＣＴＳ，ＤＡＴＡ，ＡＣＫの４種類の情報を送受信する場合を考える。
【００４５】
ＲＴＳ，ＣＴＳ，ＤＡＴＡ，ＡＣＫの４種類の情報を送受信する場合に，全ての送受信情報のパターンを挙げると，数１にｎ＝４を代入して全部で１５通りとなる。これを，
１：ＲＴＳを含み，かつＣＴＳを含まない情報
２：ＣＴＳを含み，かつＲＴＳを含まない情報
３：ＲＴＳとＣＴＳとを両方含む情報
４：ＤＡＴＡを含む情報
５：ＡＣＫを含む情報
の５つのグループに優先順位を付けて分類する。優先順位は１＞２＞３＞４＞５とする。
【００４６】
上記５つのグループに分類し，優先順位に従った結果，１５種類の情報パターンが以下の５パターンに集約される。
情報パターン１：（１）ＲＴＳ，（２）ＤＡＴＡ＋ＲＴＳ，（３）ＡＣＫ＋ＲＴＳ，（４）ＲＴＳ＋ＤＡＴＡ＋ＡＣＫ
情報パターン２：（５）ＣＴＳ，（６）ＣＴＳ＋ＤＡＴＡ，（７）ＣＴＳ＋ＡＣＫ，（８）ＣＴＳ＋ＤＡＴＡ＋ＡＣＫ
情報パターン３：（９）ＣＴＳ＋ＲＴＳ，（１０）ＤＡＴＡ＋ＣＴＳ＋ＲＴＳ，（１１）ＲＴＳ＋ＣＴＳ＋ＡＣＫ，（１２）ＲＴＳ＋ＣＴＳ＋ＤＡＴＡ＋ＡＣＫ
情報パターン４：（１３）ＤＡＴＡ，（１４）ＤＡＴＡ＋ＡＣＫ
情報パターン５：（１５）ＡＣＫ
これらの情報パターンの送受信は，それぞれ状態の遷移を起こす遷移条件となる。
【００４７】
この場合の情報の集約方法や優先順位の付け方はシステムの特性を鑑みて最適な方法で作成することができ，必ずしも上記の集約方法や優先順位である必要は無い。例えば，受信した情報が応答の必要のあるものかどうかで優先順位を定めてもよく，受信した情報に続くシーケンスが長いものであるかどうかで優先順位を定めてもよい。受信した情報が応答の必要のあるものかどうかで優先順位を定めるとは，例えばＡＣＫは，受信してもそれに対して応答する必要が無いため，ＲＴＳやＣＴＳに比べて優先度を低く定めることを意味する。受信した情報に続くシーケンスが長いものであるかどうかで優先順位を定めるとは，例えばＣＴＳはその後にＤＡＴＡとＡＣＫの２種類の情報のやり取りを行うが，ＲＴＳはその後にＣＴＳ，ＤＡＴＡ，ＡＣＫの３種類の情報のやり取りを行うので，ＣＴＳよりもＲＴＳの方が受信した後に続く処理が長いため，ＲＴＳを含む情報の方の優先度が高いことを意味する。
【００４８】
上記の５つの情報パターンの状態を管理するための状態数も，情報の集約方法に限らず設定することができる。本実施形態においては，５つの情報パターンの状態を管理するために，以下の９状態を設定する。
状態１：初期状態
状態２：ＲＴＳ送信前状態
状態３：ＲＴＳ送信後状態
状態４：ＤＡＴＡ送信前状態
状態５：ＤＡＴＡ送信後状態
状態６：ＣＴＳ送信前状態
状態７：ＣＴＳ送信後状態
状態８：ＡＣＫ送信前状態
状態９：ＤＡＴＡ＋ＣＴＳ送信前状態
【００４９】
このように状態を設定すると，本実施形態における状態遷移図は図２のように表すことができる。同じＲＴＳ，ＣＴＳ，ＤＡＴＡ，ＡＣＫの４種類の情報をやり取りする場合の状態遷移図である図１０と比べて，図２の状態遷移図は状態数が減っていることが分かる。状態数が減ることで，中央制御部１０２での状態管理を簡略化することができる。状態管理を簡略化できるので，状態管理に必要な回路の規模を抑えることができる。
【００５０】
図２および図３を用いて，本実施形態における，２台の通信装置１００が情報の送受信を行う際の状態管理の流れについて説明する。２台の通信装置１００を通信装置１００ａ，通信装置１００ｂとし，通信装置１００ａ，１００ｂともに初期状態は図２の状態遷移図において初期状態１５０とする。
【００５１】
通信装置１００ａは通信装置１００ｂに対して送信したいデータがあるため，まず通信装置１００ａに対して無線通信部１０６からアンテナ１１６を介してＲＴＳを送信する（図３の符号１７０）。通信装置１００ａがＲＴＳを送信したことで，図２の状態遷移図において，通信装置１００ａの状態はＲＴＳ送信前１５１に遷移した後，ＲＴＳの送信によってＲＴＳ送信後状態１５２に遷移する。
【００５２】
通信装置１００ｂは，通信装置１００ａからアンテナ１１６を介して無線受信部１０８でＲＴＳを受信したので，図２の状態遷移図において，通信装置１００ｂの状態は初期状態１５０からＣＴＳ送信前状態１５５に遷移する。ここで，通信装置１００ｂは通信装置１００ａが送信したＲＴＳに対するＣＴＳを通信装置１００ａに対して送信するが，通信装置１００ｂも通信装置１００ａに対して送信したいデータがある。そのため，通信装置１００ｂは通信装置１００ａに向けて，無線通信部１０６からアンテナ１１６を介して，ＣＴＳにＲＴＳを多重化した情報であるＣＴＳ＋ＲＴＳを送信する（図３の符号１７１）。通信装置１００ｂの状態は，ＣＴＳ＋ＲＴＳを送信したので，図２の状態遷移図においてＣＴＳ送信前状態１５５からＣＴＳ送信後状態１５６に遷移する。
【００５３】
通信装置１００ａは，通信装置１００ｂからアンテナ１１６を介して無線受信部１０８でＣＴＳ＋ＲＴＳを受信したので，通信装置１００ｂからのＲＴＳに対する返答であるＣＴＳと，通信装置１００ａが通信装置１００ｂに対して送信するデータであるＤＡＴＡとを多重化したＤＡＴＡ＋ＣＴＳを，無線送信部１０６からアンテナ１１６を介して，通信装置１００ｂに送信する（図３の符号１７２）。図２の状態遷移図においては，通信装置１００ａの状態はＣＴＳ＋ＲＴＳの受信によってＤＡＴＡ＋ＣＴＳ送信前状態１５８に遷移する。そして，ＤＡＴＡ＋ＣＴＳは上記の情報パターン２に該当するので，通信装置１００ａの中央制御部１０２はＣＴＳを送信すると判断し，ＤＡＴＡ＋ＣＴＳ送信前状態１５８からＣＴＳ送信後状態１５６に遷移する。
【００５４】
通信装置１００ｂは，通信装置１００ａからアンテナ１１６を介して無線受信部１０８でＤＡＴＡ＋ＣＴＳを受信する。ＤＡＴＡ＋ＣＴＳは上記の本実施形態における情報パターン２に該当するので，通信装置１００ｂの中央制御部１０２はＣＴＳを受信したと判断し，図２の状態遷移図において，ＣＴＳ送信後状態１５６からデータ送信前状態１５３に遷移する。通信装置１００ｂは，ＤＡＴＡに対するＡＣＫと，ＣＴＳに対するＤＡＴＡとを多重化した情報であるＤＡＴＡ＋ＡＣＫを，無線送信部１０６からアンテナ１１６を介して，通信装置１００ａに向けて送信する（図３の符号１７３）。ＤＡＴＡ＋ＡＣＫは，上記の本実施形態における情報パターン４に該当するので，通信装置１００ｂの中央制御部１０２はＤＡＴＡを送信したと判断し，図３の状態遷移図においてデータ送信前状態１５３からデータ送信後状態１５４に遷移する。
【００５５】
通信装置１００ａは，通信装置１００ｂからアンテナ１１６を介して無線受信部１０８でＤＡＴＡ＋ＡＣＫを受信する。ＤＡＴＡ＋ＡＣＫは上記の本実施形態における情報パターン４に該当するので，通信装置１００ａの中央制御部１０２はＤＡＴＡを受信したと判断し，図２の状態遷移図において，ＣＴＳ送信後状態１５６からＡＣＫ送信前状態１５７に遷移する。通信装置１００ａは，無線送信部１０６からアンテナ１１６を介して，通信装置１００ｂに向けてＤＡＴＡに対するＡＣＫを送信する（図３の符号１７４）。そして，図２の状態遷移図において，通信装置１００ａの状態はＡＣＫ送信前状態１５７から初期状態１５０に遷移する。
【００５６】
通信装置１００ｂは，通信装置１００ａからアンテナ１１６を介して無線受信部１０８でＡＣＫを受信したので，図２の状態遷移図においてデータ送信後状態１５４から初期状態１５０に遷移する。
【００５７】
以上のように，ＲＴＳ／ＣＴＳ手段を用いるＣＳＭＡ／ＣＡのアクセス制御システムにおいて，データの多重化が許されている場合に，情報をいくつかのパターンに集約することで，情報を集約しない場合に比べて，簡単な状態遷移で表現することができる。したがって，その状態数が減ることで，状態を表現するためのビット数や，状態管理にかかわる処理に必要なビット数を減らすことができ，通信装置の回路規模を小さくすることができる。
【００５８】
上記では，通信装置１００ａと通信装置１００ｂが１回ずつデータを送信した場合について示したが，図４に示すシーケンスのように，データをお互いに連続的に送信した場合についても同様に，図２と同じく簡単な状態遷移で表現することができる。
【００５９】
図３に示した例では，通信装置１００ａは通信装置１００ｂからアンテナ１１６を介して無線受信部１０８でＣＴＳ＋ＲＴＳを受信したときに，ＤＡＴＡ＋ＣＴＳを通信装置１００ｂに送信していたが，図４では，通信装置１００ｂからＣＴＳ＋ＲＴＳを受信した時に，通信装置１００ａはさらに別のデータを送信するためのリクエスト信号ＲＴＳを，通信装置１００ｂに送信するために，ＤＡＴＡ＋ＣＴＳにＲＴＳを多重化した情報であるＤＡＴＡ＋ＣＴＳ＋ＲＴＳ（図４の符号１８２）を通信装置１００ｂに送信する場合について示す。ＤＡＴＡ＋ＣＴＳ＋ＲＴＳは，上記の情報パターン３に該当するので，通信装置１００ａの中央制御部１０２はＣＴＳ＋ＲＴＳを送信すると判断し，図２の状態遷移図において，通信装置１００ａの状態はＤＡＴＡ＋ＣＴＳ送信前１５８からＣＴＳ送信後状態１５６に遷移する。
【００６０】
通信装置１００ｂは，通信装置１００ａからアンテナ１１６を介して無線受信部１０８でＤＡＴＡ＋ＣＴＳ＋ＲＴＳを受信したので，中央制御部１０２でＣＴＳ＋ＲＴＳを受信したと判断し，図２の状態遷移図においてＣＴＳ送信後状態１５６からＤＡＴＡ＋ＣＴＳ送信前状態１５８に遷移する。そして，通信装置１００ｂもさらに別のデータを送信するためのＲＴＳを，通信装置１００ａに送信するために，通信装置１００ａへの返答となるＡＣＫ＋ＤＡＴＡ＋ＣＴＳに加えて新たにＲＴＳを多重化した情報であるＡＣＫ＋ＤＡＴＡ＋ＣＴＳ＋ＲＴＳを，無線送信部１０６からアンテナ１１６を介して送信する（図４の符号１８３）。ＡＣＫ＋ＤＡＴＡ＋ＣＴＳ＋ＲＴＳは，上記の本実施形態における情報パターン３に該当するので，通信装置１００ｂの中央制御部１０２はＣＴＳ＋ＲＴＳを送信すると判断し，通信装置１００ｂの状態は図２の状態遷移図においてＤＡＴＡ＋ＣＴＳ送信前１５８状態からＣＴＳ送信後状態１５６に遷移する。
【００６１】
通信装置１００ａは，通信装置１００ｂからアンテナ１１６を介して無線受信部１０８でＡＣＫ＋ＤＡＴＡ＋ＣＴＳ＋ＲＴＳを受信する。ＡＣＫ＋ＤＡＴＡ＋ＣＴＳ＋ＲＴＳは上記の本実施形態における情報パターン３に該当するので，中央制御部１０２ではＣＴＳ＋ＲＴＳを受信したと判断する。通信装置１００ａの状態は，図２の状態遷移図においてＣＴＳ送信後状態１５６からＤＡＴＡ＋ＣＴＳ送信前状態１５８に遷移する。通信装置１００ｂからＡＣＫ＋ＤＡＴＡ＋ＣＴＳ＋ＲＴＳを受信した通信装置１００ａは，無線送信部１０６からアンテナ１１６を介してＡＣＫ＋ＤＡＴＡ＋ＣＴＳを通信装置１００ｂに送信する（図４の符号１８４）。ＡＣＫ＋ＤＡＴＡ＋ＣＴＳは，上記の本実施形態における情報パターン２に該当するので，通信装置１００ａの中央制御部１０２はＣＴＳを送信すると判断し，図２の状態遷移図においてＤＡＴＡ＋ＣＴＳ送信前状態１５８からＣＴＳ送信後状態１５６に遷移する。
【００６２】
通信装置１００ｂは，通信装置１００ａからアンテナ１１６を介して無線受信部１０８でＡＣＫ＋ＤＡＴＡ＋ＣＴＳを受信する。ＡＣＫ＋ＤＡＴＡ＋ＣＴＳは，上記の本実施形態における情報パターン２に該当するので，中央制御部１０２ではＣＴＳを受信したと判断する。通信装置１００ｂの状態は，図２の状態遷移図においてＣＴＳ送信後状態１５６からデータ送信前状態１５３に遷移する。通信装置１００ａからＡＣＫ＋ＤＡＴＡ＋ＣＴＳを受信した通信装置１００ｂは，無線送信部１０６からアンテナ１１６を介して，ＡＣＫ＋ＤＡＴＡを通信装置１００ａに送信する（図４の符号１８５）。ＡＣＫ＋ＤＡＴＡは，上記の本実施形態における情報パターン４に該当するので，通信装置１００ｂの中央制御部１０２はＤＡＴＡを送信すると判断し，通信装置１００ｂの状態は，図２の状態遷移図においてデータ送信前状態１５３からデータ送信後状態１５４に遷移する。
【００６３】
通信装置１００ａは，通信装置１００ｂからアンテナ１１６を介して無線受信部１０８でＡＣＫ＋ＤＡＴＡを受信したので，中央制御部１０２でＤＡＴＡを受信したと判断する。通信装置１００ａの状態は，図２の状態遷移図においてＣＴＳ送信後状態１５６からＡＣＫ送信前状態１５７に遷移する。通信装置１００ｂからＡＣＫ＋ＤＡＴＡを受信した通信装置１００ａは，無線送信部１０６からアンテナ１１６を介して，ＡＣＫを通信装置１００ｂに送信する（図４の符号１８６）。通信装置１００ａの状態は，図２の状態遷移図においてＡＣＫ送信前状態１５７から初期状態１５０に遷移する。
【００６４】
通信装置１００ｂは，通信装置１００ａからアンテナ１１６を介して無線受信部１０８でＡＣＫを受信したので，図２の状態遷移図においてデータ送信後状態１５４から初期状態１５０に遷移する。
【００６５】
以上説明したように，通信装置１００ａと通信装置１００ｂがデータを連続的に送信した場合についても同様に，情報をいくつかのパターンに集約することで，情報を集約しない場合に比べて，簡単な状態遷移で表現することができる。状態遷移における状態数を減らすことで，状態を表現するためのビット数や，状態遷移にかかわる処理に必要なビット数を減らすことができ，回路規模を小さくすることができる。
【００６６】
（第２の実施形態）
第１の実施形態では，情報を５パターンに集約して状態管理を単純化したが，第２の実施形態では，情報を４パターンに集約して状態管理を単純化する。本実施形態においても第１の実施形態同様に，ＲＴＳ／ＣＴＳ手段を用いるＣＳＭＡ／ＣＡのアクセス制御システムに適用する。ＲＴＳ／ＣＴＳ手段を用いるＣＳＭＡ／ＣＡのアクセス制御システムにおいて，ＲＴＳ，ＣＴＳ，ＤＡＴＡ，ＡＣＫの４種類の情報を送受信する通信装置を考える。なお，本実施形態にかかる通信装置は，第１の実施形態にかかる通信装置１００と構成が同一であるため，詳細な説明は省略する。
【００６７】
ＲＴＳ，ＣＴＳ，ＤＡＴＡ，ＡＣＫの４種類の情報を送受信する場合に，全ての送受信情報のパターンを挙げると，数１にｎ＝４を代入して全部で１５通りとなる。これを，
１：ＲＴＳを含む情報
２：ＣＴＳを含む情報
３：ＤＡＴＡを含む情報
４：ＡＣＫを含む情報
の４つのグループに優先順位を付けて分類する。優先順位は１＞２＞３＞４とする。
【００６８】
上記４つのグループに分類し，優先順位に従った結果，１５種類の情報パターンが以下の４つの情報パターンに集約される。
情報パターン１：（１）ＲＴＳ，（２）ＣＴＳ＋ＲＴＳ，（３）ＤＡＴＡ＋ＲＴＳ，（４）ＡＣＫ＋ＲＴＳ，（５）ＲＴＳ＋ＤＡＴＡ＋ＡＣＫ，（６）ＤＡＴＡ＋ＣＴＳ＋ＲＴＳ，（７）ＲＴＳ＋ＣＴＳ＋ＡＣＫ，（８）ＲＴＳ＋ＣＴＳ＋ＤＡＴＡ＋ＡＣＫ
情報パターン２：（９）ＣＴＳ，（１０）ＣＴＳ＋ＤＡＴＡ，（１１）ＣＴＳ＋ＡＣＫ，（１２）ＣＴＳ＋ＤＡＴＡ＋ＡＣＫ
情報パターン３：（１３）ＤＡＴＡ，（１４）ＤＡＴＡ＋ＡＣＫ
情報パターン４：（１５）ＡＣＫ
これらの情報パターンの送受信は，状態遷移図において状態の遷移を起こす遷移条件となる。
【００６９】
本実施形態においても，情報の集約方法や優先順位の付け方はシステムの特性を鑑みて最適な方法で作成することができ，必ずしも上記の集約方法や優先順位である必要は無い。例えば，受信した情報が応答の必要のあるものかどうかで優先順位を定めてもよく，受信した情報に続くシーケンスが長いものであるかどうかで優先順位を定めてもよい。
【００７０】
また，上記の４つの情報パターンの状態を管理するための状態数も，情報の集約方法に限らず設定することができる。本実施形態においては，５つの情報パターンの状態を管理するために，以下の８状態を設定する。
状態１：初期状態
状態２：ＲＴＳ送信前状態
状態３：ＲＴＳ送信後状態
状態４：ＤＡＴＡ送信前状態
状態５：ＤＡＴＡ送信後状態
状態６：ＣＴＳ送信前状態
状態７：ＣＴＳ送信後状態
状態８：ＡＣＫ送信前状態
【００７１】
このように状態を設定すると，本実施形態における状態遷移図は図５のように表すことができる。同じＲＴＳ，ＣＴＳ，ＤＡＴＡ，ＡＣＫの４種類の情報を多重化してやり取りする第１の実施形態に比べてさらに状態数が減り，状態管理を簡略化することができる。
【００７２】
図３および図５を用いて，本実施形態における，２台の通信装置１００が情報の送受信を行う際の状態管理の流れについて説明する。本実施形態においても，２台の通信装置１００を通信装置１００ａ，通信装置１００ｂとし，通信装置１００ａ，１００ｂともに初期状態は図５の状態遷移図における初期状態２００とする。
【００７３】
通信装置１００ａは通信装置１００ｂに対して送信したいデータがあるため，まず通信装置１００ｂに対して無線通信部１０６からアンテナ１１６を介してＲＴＳを送信する（図３の符号１７０）。通信装置１００ａがＲＴＳを送信したことで，通信装置１００ａの状態は，図５の状態遷移図において初期状態２００からＲＴＳ送信前状態２０１に遷移し，そしてＲＴＳ送信後状態２０２に遷移する。
【００７４】
通信装置１００ｂは，通信装置１００ａからアンテナ１１６を介して無線受信部１０８でＲＴＳを受信したので，通信装置１００ｂの状態は図５の状態遷移図において，初期状態２００からＣＴＳ送信前状態２０５に遷移する。通信装置１００ｂは通信装置１００ａが送信したＲＴＳに対するＣＴＳを通信装置１００ａに対して送信する。ここで，通信装置１００ｂも通信装置１００ａに対して送信したいデータがある。そのため，通信装置１００ｂは通信装置１００ａに向けて，無線通信部１０６からアンテナ１１６を介して，ＣＴＳにＲＴＳを多重化した情報であるＣＴＳ＋ＲＴＳを送信する（図３の符号１７１）。ＣＴＳ＋ＲＴＳは上記の本実施形態における情報パターン１に該当する。そのため，通信装置１００ｂの中央制御部１０２はＲＴＳを送信したと判断する。通信装置１００ｂの状態は，ＣＴＳ＋ＲＴＳを送信したので，図５の状態遷移図においてＣＴＳ送信前状態２０５からＲＴＳ送信後状態２０２に遷移する。
【００７５】
通信装置１００ａは，通信装置１００ｂからアンテナ１１６を介して無線受信部１０８でＣＴＳ＋ＲＴＳを受信したので，通信装置１００ｂからのＲＴＳに対する返答であるＣＴＳと，通信装置１００ａが通信装置１００ｂに対して送信するデータであるＤＡＴＡを多重化した情報であるＣＴＳ＋ＤＡＴＡを，無線送信部１０６からアンテナ１１６を介して通信装置１００ｂに送信する（図３の符号１７２）。通信装置１００ｂからＣＴＳ＋ＲＴＳを受信した通信装置１００ａの状態は，図５の状態遷移図において，ＲＴＳ送信後状態２０２からＣＴＳ送信前状態２０５に遷移する。そして，ＣＴＳ＋ＤＡＴＡは上記の本実施形態における情報パターン２に該当するので，通信装置１００ａの中央制御部１０２でＣＴＳを送信したと判断し，ＣＴＳ送信前状態２０５からＣＴＳ送信後状態２０６に遷移する。
【００７６】
通信装置１００ｂは，通信装置１００ａからアンテナ１１６を介して無線受信部１０８でＣＴＳ＋ＤＡＴＡを受信する。ＣＴＳ＋ＤＡＴＡは上記の本実施形態における情報パターン２に該当するので，通信装置１００ｂの中央制御部１０２はＣＴＳを受信したと判断する。通信装置１００ｂの状態は，図５の状態遷移図において，ＲＴＳ送信後状態２０２からデータ送信前状態２０３に遷移する。通信装置１００ｂは，通信装置１００ａから受信したＤＡＴＡに対するＡＣＫと，通信装置１００ａから受信したＣＴＳに対するＤＡＴＡとを多重化した情報であるＡＣＫ＋ＤＡＴＡを，無線送信部１０６からアンテナ１１６を介して通信装置１００ａに送信する（図３の符号１７３）。ＡＣＫ＋ＤＡＴＡは上記の本実施形態における情報パターン３に該当するので，通信装置１００ｂの中央制御部１０２はＤＡＴＡを送信したと判断し，通信装置１００ｂの状態は図５の状態遷移図においてデータ送信前状態２０３からデータ送信後状態２０４に遷移する。
【００７７】
通信装置１００ａは，通信装置１００ｂからアンテナ１１６を介して無線受信部１０８でＡＣＫ＋ＤＡＴＡを受信する。ＡＣＫ＋ＤＡＴＡは上記の本実施形態における情報パターン３に該当するので，通信装置１００ａの中央制御部１０２はＤＡＴＡを受信したと判断する。通信装置１００ａの状態は，図５の状態遷移図において，ＣＴＳ送信後状態２０６からＡＣＫ送信前状態２０７に遷移する。そして，通信装置１００ａは通信装置１００ｂに対して，無線送信部１０６からアンテナ１１６を介して，通信装置１００ｂから受信したＤＡＴＡに対するＡＣＫを送信する（図３の符号１７４）。そして，通信装置１００ａの状態は図５の状態遷移図において，ＡＣＫ送信前状態２０７から初期状態２００に遷移する。
【００７８】
通信装置１００ｂは，通信装置１００ａからアンテナ１１６を介して無線受信部１０８でＡＣＫを受信したので，図５の状態遷移図においてデータ送信後状態２０４から初期状態２００に遷移する。
【００７９】
以上説明したように，本実施形態のようにパターンの数を４つにした場合も第１の実施形態と同様に，情報を集約しない場合に比べて，簡単な状態遷移で表現することができる。状態遷移の状態数を減らすことで，状態を表現するためのビット数や，状態管理にかかわる処理に必要なビット数を減らすことができ，回路規模を小さくすることができる。
【００８０】
（第３の実施形態）
第１の実施形態および第２の実施形態では，ＲＴＳ／ＣＴＳ手段を用いるＣＳＭＡ／ＣＡのアクセス制御システムにおいて，ＲＴＳ，ＣＴＳ，ＤＡＴＡおよびＡＣＫの４種類の情報をグループ化して送受信することで，状態遷移を単純化して回路規模を小さくできることを説明した。第３の実施形態では，ＲＴＳ／ＣＴＳ手段を用いるＣＳＭＡ／ＣＡのアクセス制御システムにおいて，ＲＴＳ，ＣＴＳ，Ｉｍ．ＤＡＴＡ（Ｉｍｍｅｄｉａｔｅ  ＡＣＫ  ＤＡＴＡ：即時返答データ），Ｄｅｌ−ＤＡＴＡ（Ｄｅｌａｙｅｄ  ＡＣＫ  ＤＡＴＡ：遅延返答データ）およびＡＣＫの５種類の情報を送受信する場合の通信方法について説明する。
【００８１】
Ｉｍ．ＤＡＴＡは，受信するとＩｍ．ＤＡＴＡの送信元に対して即座にＡＣＫを返信する必要のある情報である。一方，Ｄｅｌ−ＤＡＴＡは，受信しても即座にＤｅｌ−ＤＡＴＡの送信元に対して情報を返信する必要のない情報である。
【００８２】
５種類の情報を送受信する場合に，全ての送受信パターンを挙げると，送受信パターンは数１にｎ＝５を代入して３１通りとなる。しかし，Ｉｍ．ＤＡＴＡとＤｅｌ−ＤＡＴＡとを一緒に含む多重化は無いとすると，送受信パターンは全部で２３種類となる。この２３種類の送受信パターンを，
１：ＲＴＳを含む情報
２：ＣＴＳを含む情報
３：Ｉｍ．ＤＡＴＡを含む情報
４：ＡＣＫを含む情報
５：Ｄｅｌ−ＤＡＴＡを含む情報
の５つのグループに優先順位を付けて分類する。優先順位は１＞２＞３＞４＞５とする。
【００８３】
ここで，Ｄｅｌ−ＤＡＴＡを含む情報の優先順位を一番低くしたのは，Ｄｅｌ−ＤＡＴＡは即座に情報を送信元に対して返信する必要が無いためである。なお，優先順位の付け方はこれに限られるものではない。
【００８４】
上記４つのグループに分類し，優先順位に従った結果，２３種類の情報パターンが以下の５つの情報パターンに集約される。
情報パターン１：（１）ＲＴＳ，（２）ＣＴＳ＋ＲＴＳ，（３）Ｉｍ．ＤＡＴＡ＋ＲＴＳ，（４）Ｄｅｌ−ＤＡＴＡ＋ＲＴＳ，（５）ＡＣＫ＋ＲＴＳ，（６）ＲＴＳ＋Ｉｍ．ＤＡＴＡ＋ＡＣＫ，（７）ＲＴＳ＋Ｄｅｌ−ＤＡＴＡ＋ＡＣＫ，（８）Ｉｍ．ＤＡＴＡ＋ＣＴＳ＋ＲＴＳ，（９）Ｄｅｌ−ＤＡＴＡ＋ＲＴＳ＋ＣＴＳ，（１０）ＲＴＳ＋ＣＴＳ＋ＡＣＫ，（１１）ＲＴＳ＋ＣＴＳ＋Ｉｍ．ＤＡＴＡ＋ＡＣＫ，（１２）ＲＴＳ＋ＣＴＳ＋Ｄｅｌ−ＤＡＴＡ＋ＡＣＫ
情報パターン２：（１３）ＣＴＳ，（１４）ＣＴＳ＋Ｉｍ．ＤＡＴＡ，（１５）ＣＴＳ＋Ｄｅｌ−ＤＡＴＡ，（１６）ＣＴＳ＋ＡＣＫ，（１７）ＣＴＳ＋Ｉｍ．ＤＡＴＡ＋ＡＣＫ，（１８）ＣＴＳ＋Ｄｅｌ−ＤＡＴＡ＋ＡＣＫ
情報パターン３：（１９）Ｉｍ．ＤＡＴＡ，（２０）Ｉｍ．ＤＡＴＡ＋ＡＣＫ
情報パターン４：（２１）ＡＣＫ，（２２）Ｄｅｌ−ＤＡＴＡ＋ＡＣＫ
情報パターン５：（２３）Ｄｅｌ−ＤＡＴＡ
これらの情報パターンの送受信は，状態遷移図において状態の遷移を起こす遷移条件となる。
【００８５】
本実施形態においても，情報の集約方法や優先順位の付け方はシステムの特性を鑑みて最適な方法で作成することができ，必ずしも上記の集約方法や優先順位である必要は無い。例えば，受信した情報が応答の必要のあるものかどうかで優先順位を定めてもよく，受信した情報に続くシーケンスが長いものであるかどうかで優先順位を定めてもよい。
【００８６】
また，上記の５つの情報パターンの状態を管理するための状態数も，情報の集約方法に限らず設定することができる。本実施形態においては，５つの情報パターンの状態を管理するために，以下の８状態を設定する。
状態１：初期状態
状態２：ＲＴＳ送信前状態
状態３：ＲＴＳ送信後状態
状態４：Ｉｍ．ＤＡＴＡ送信前状態
状態５：Ｉｍ．ＤＡＴＡ送信後状態
状態６：ＣＴＳ送信前状態
状態７：ＣＴＳ送信後状態
状態８：ＡＣＫ送信前状態
【００８７】
このように状態を設定すると，本実施形態における状態遷移図は図６のように表すことができる。第１の実施形態および第２の実施形態に比べて送受信する情報パターンが増加したにも関わらず，状態の数は第２の実施形態と変わらず，状態管理を簡略化することができる。
【００８８】
図６および図７を用いて，本実施形態における，２台の通信装置１００が情報の送受信を行う際の状態管理の流れについて説明する。本実施形態においても，２台の通信装置１００を通信装置１００ａ，通信装置１００ｂとし，通信装置１００ａ，１００ｂともに初期状態は図６の初期状態３００とする。なお，図６に示す状態遷移図において，特に断りの無い限り，「ＤＡＴＡ」は「Ｉｍ．ＤＡＴＡ」と「Ｄｅｌ−ＤＡＴＡ」の両方を含むものとする。
【００８９】
通信装置１００ａは通信装置１００ｂに対して送信したいデータがあるため，まず通信装置１００ｂに対して無線送信部１０６からアンテナ１１６を介してＲＴＳを送信する（図７の符号３１０）。通信装置１００ａがＲＴＳを送信したことで，通信装置１００ａの状態は，図６の状態遷移図において初期状態３００からＲＴＳ送信前状態３０１に遷移し，そしてＲＴＳの送信によってＲＴＳ送信後状態３０２に遷移する。
【００９０】
通信装置１００ｂは，通信装置１００ａからアンテナ１１６を介して無線受信部１０８でＲＴＳを受信したので，通信装置１００ｂの状態は図６の状態遷移図において，初期状態３００からＣＴＳ送信前状態３０５に遷移する。ここで，通信装置１００ｂは通信装置１００ａが送信したＲＴＳに対するＣＴＳを通信装置１００ａに対して送信するが，通信装置１００ｂも通信装置１００ａに対して送信したいデータがある。そのため，通信装置１００ｂは通信装置１００ａに向けて，無線通信部１０６からアンテナ１１６を介して，ＣＴＳにＲＴＳを多重化した情報であるＣＴＳ＋ＲＴＳを送信する（図７の符号３１１）。ＣＴＳ＋ＲＴＳは上記の本実施形態における情報パターン１に該当する。そのため，通信装置１００ｂの中央制御部１０２はＲＴＳを送信したと判断する。通信装置１００ｂの状態は，ＣＴＳ＋ＲＴＳを送信したので，図６の状態遷移図においてＣＴＳ送信前状態３０５からＲＴＳ送信後状態３０２に遷移する。
【００９１】
通信装置１００ａは，通信装置１００ｂからアンテナ１１６を介して無線受信部１０８でＣＴＳ＋ＲＴＳを受信したので，通信装置１００ｂから受信したＣＴＳに対するデータを送信する。ここで送信するデータは，即時応答の必要が無いＤｅｌ−ＤＡＴＡであるとする。そして，このＤｅｌ−ＤＡＴＡとは別に，通信装置１００ｂに対して送信したいデータが存在するものとする。この場合，通信装置１００ａは，通信装置１００ｂからのＲＴＳに対する返答であるＣＴＳと，通信装置１００ａが通信装置１００ｂに対して送信するデータであるＤｅｌ−ＤＡＴＡと，別のデータを送信したい旨をリクエストするためのＲＴＳとを多重化した情報であるＣＴＳ＋Ｄｅｌ−ＤＡＴＡ＋ＲＴＳを，無線送信部１０６からアンテナ１１６を介して通信装置１００ｂに送信する（図７の符号３１２）。通信装置１００ｂからのＣＴＳ＋ＲＴＳを受信した通信装置１００ａの状態は，図６の状態遷移図において，ＲＴＳ送信後状態３０２からＣＴＳ送信前状態３０５に遷移する。そして，ＣＴＳ＋Ｄｅｌ−ＤＡＴＡ＋ＲＴＳは上記の本実施形態における情報パターン１に該当するので，通信装置１００ａの中央制御部１０２でＲＴＳを送信したと判断し，ＣＴＳ送信前状態３０５からＲＴＳ送信後状態３０２に遷移する。
【００９２】
通信装置１００ｂは，通信装置１００ａからアンテナ１１６を介して無線受信部１０８でＣＴＳ＋Ｄｅｌ−ＤＡＴＡ＋ＲＴＳを受信する。ＣＴＳ＋Ｄｅｌ−ＤＡＴＡ＋ＲＴＳは上記の本実施形態における情報パターン１に該当するので，通信装置１００ｂの中央制御部１０２はＲＴＳを受信したと判断する。通信装置１００ｂの状態は，図６の状態遷移図において，ＲＴＳ送信後状態３０２からＣＴＳ送信前状態３０５に遷移する。Ｄｅｌ−ＤＡＴＡに対して応答する必要はないため，通信装置１００ｂは，ＣＴＳに対するＩｍ．ＤＡＴＡと，ＲＴＳに対するＣＴＳを多重化した情報であるＩｍ．ＤＡＴＡ＋ＣＴＳを，無線送信部１０６からアンテナ１１６を介して通信装置１００ａに送信する（図７の符号３１３）。Ｉｍ．ＤＡＴＡ＋ＣＴＳは，上記の本実施形態における情報パターン２に該当するので，通信装置１００ｂの中央制御部１０２はＣＴＳを送信したと判断し，図６の状態遷移図においてＣＴＳ送信前状態３０５からＣＴＳ送信後状態３０６に遷移する。
【００９３】
通信装置１００ａは，通信装置１００ｂからアンテナ１１６を介して無線受信部１０８でＩｍ．ＤＡＴＡ＋ＣＴＳを受信する。Ｉｍ．ＤＡＴＡ＋ＣＴＳは上記の本実施形態における情報パターン２に該当するので，通信装置１００ａの中央制御部１０２はＣＴＳを受信したと判断し，図６の状態遷移図において，ＲＴＳ送信後状態３０２からデータ送信前状態３０３に遷移する。そして，Ｉｍ．ＤＡＴＡに対するＡＣＫと，ＣＴＳに対するＤｅｌ−ＤＡＴＡを多重化した情報であるＡＣＫ＋Ｄｅｌ−ＤＡＴＡを，無線送信部１０６からアンテナ１１６を介して通信装置１００ｂに送信する（図７の符号３１４）。ＡＣＫ＋Ｄｅｌ−ＤＡＴＡは，上記の本実施形態における情報パターン４に該当するので，通信装置１００ａの中央制御部１０２はＡＣＫを送信したと判断し，図６の状態遷移図においてデータ送信前状態３０３から初期状態３００に遷移する。
【００９４】
通信装置１００ｂは，通信装置１００ａからアンテナ１１６を介して無線受信部１０８でＡＣＫ＋Ｄｅｌ−ＤＡＴＡを受信する。ＡＣＫ＋Ｄｅｌ−ＤＡＴＡは上記の本実施形態における情報パターン４に該当するので，通信装置１００ｂの中央制御部１０２はＡＣＫを受信したと判断し，図６の状態遷移図においてＣＴＳ送信後状態３０６から初期状態３００に遷移する。
【００９５】
通信装置１００ａは，さらに通信装置１００ｂに対して最後のデータであり，かつ，以前に送信したＤｅｌ−ＤＡＴＡのＡＣＫを催促する事を示すＩｍ．ＤＡＴＡを送信する（図７の符号３１５）。このとき通信装置１００ａは，初期状態３００から，データ送信前状態３０３へ遷移し，データを送信した後にデータ送信後状態３０４に遷移する。通信装置１００ａからアンテナ１１６を介して無線受信部１０８でＩｍ．ＤＡＴＡを受信した通信装置１００ｂは，通信装置１００ａに対して無線送信部１０６からアンテナ１１６を介してＡＣＫを送信する（図７の符号３１６）。このとき，通信装置１００ｂは，初期状態３００から，Ｉｍ．ＤＡＴＡの受信によりＡＣＫ送信前状態３０７に遷移する。その後ＡＣＫを受信し，初期状態３００に遷移する。通信装置１００ｂからアンテナ１１６を介して無線受信部１０８でＡＣＫを受信した通信装置１００ａは，図６の状態遷移図においてデータ送信後状態３０４から初期状態３００に遷移する。
【００９６】
以上説明したように，本実施形態のように送受信する情報の種類が５種類に増加した場合においても，第１の実施形態および第２の実施形態同様に簡単な状態遷移で表現することができる。簡単な状態遷移で表現することによって，状態遷移の状態数が減り，状態を表現するためのビット数や，状態遷移にかかわる処理に必要なビット数を減らすことができ，回路規模を小さくすることができる。
【００９７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００９８】
例えば，上記実施形態においてはＲＴＳ／ＣＴＳ手段を用いるＣＳＭＡ／ＣＡのアクセス制御によって他の通信端末と無線通信を行う通信装置について説明したが，その他の情報を多重化可能なアクセス制御方法を用いて他の通信端末と無線通信を行ってもよい。
【産業上の利用可能性】
【００９９】
本発明は，通信装置およびコンピュータプログラムに適用可能である。
【図面の簡単な説明】
【０１００】
【図１】本発明の第１の実施形態にかかる通信装置を示す説明図である。
【図２】本発明の第１の実施形態にかかる状態遷移図である。
【図３】本発明の第１の実施形態にかかる情報のやり取りのシーケンスを示す説明図である。
【図４】本発明の第１の実施形態にかかる情報のやり取りのシーケンスを示す説明図である。
【図５】本発明の第２の実施形態にかかる状態遷移図である。
【図６】本発明の第３の実施形態にかかる状態遷移図である。
【図７】本発明の第３の実施形態にかかる情報のやり取りのシーケンスを示す説明図である。
【図８】従来の技術にかかる通信方法についての流れ図である。
【図９】従来の技術にかかる情報のやり取りのシーケンスを示す説明図である。
【図１０】従来の技術にかかる状態遷移図である。
【符号の説明】
【０１０１】
１００，１００ａ，１００ｂ      通信装置
１０２      中央制御部
１０４      タイミング制御部
１０６      無線送信部
１０８      無線受信部
１１０      インターフェース
１１２      データバッファ
１１４      情報記憶部
１１６      アンテナ
【図１】
2007281928.tif 000004
【図２】
2007281928.tif 000005
【図３】
2007281928.tif 000006
【図４】
2007281928.tif 000007
【図５】
2007281928.tif 000008
【図６】
2007281928.tif 000009
【図７】
2007281928.tif 000010
【図８】
2007281928.tif 000011
【図９】
2007281928.tif 000012
【図１０】
2007281928.tif 000013